【事件の表示】
　特願２０００−２８９０４８「フェルール保持具にフェルール及び光ファイバーを連結したコネクター部分」拒絶査定不服審判事件〔平成１４年　４月　５日出願公開、特開２００２−　９８８５６〕について、次のとおり審決する。
【結　論】
　本件審判の請求は、成り立たない。
【理　由】
１　手続の経緯・本願発明
　
（１）本願は、平成１２年９月２２日の特許出願であって、平成２１年５月８日付け及び同年９月４日付けで手続補正がなされ、平成２２年２月２６日付けで拒絶査定がなされ、これに対し、同年６月１日に拒絶査定不服審判の請求がなされたものである。
　
（２）本願の請求項１に係る発明（以下「本願発明」という。）は、平成２１年９月４日付けでなされた手続補正後の明細書の特許請求の範囲の請求項１に記載された事項により特定される、次のとおりのものと認められる。
　
「長手方向の一方にフェルールを保持するフェルール保持部を、他方に光ファイバーを挿通して接着剤を介して固着する光ファイバー固着部を有する管状成形物よりなるフェルール保持具にフェルール及び光ファイバーを連結したコネクター部分において、
　上記フェルール保持具は、上記光ファイバー固着部の挿通路の挿入口に膨径部を設けてなり、
　上記膨径部は、上記挿通路の直径の上記膨径部の口径に対する比率として１：１．３〜１．８となるとともに、上記膨径部の口径の上記膨径部の長さに対する比率として１：０．８〜１．０となるように設けられ、
　上記光ファイバーは、上記フェルール保持具に接着剤を注入した後に挿通され、
　上記光ファイバーの挿通によって押出された接着剤は、上記膨径部に溜まると共に上記膨径部の口径の外部に盛り上がるように形成され、上記フェルール保持具と光ファイバーとを接着するように構成されていることを特徴とするフェルール保持具にフェルール及び光ファイバーを連結したコネクター部分。」
　
２　引用刊行物の記載
　
（１）引用刊行物１
　
　原査定の拒絶の理由に引用された、本願の出願前に頒布された刊行物である特開平９−２４３８６５号公報（以下「引用刊行物１」という。）には、以下の事項が記載されている。 
　
ア　「【発明の詳細な説明】
【０００１】
【発明の属する技術分野】本発明は、光ファイバを接続するために用いられる光ファイバコネクタ（光コネクタ）のフェルール及びその製造方法に関する。
【０００２】
【従来の技術】一般に、光ファイバコネクタは、例えば図１４に示すように、中心軸線に沿って光ファイバが挿入・固定されている光ファイバコード１１０が接続されたプラグ１００と、このプラグ同士を嵌合して整列させる中空円筒状のスリーブ１２０とから構成される。特に電気コネクタと異なり、接続すべき２本の光ファイバの相対位置は正確に合わせることが要求される。このため、接続すべき非常に細い２本の光ファイバの先端部を挿入するためのセラミックス製のフェルール１０１が一般に用いられ、これらのフェルール１０１同士を突き合わせることにより光ファイバの接続が行われている。すなわち、光ファイバの先端部が挿入・固定されたフェルール１０１を、外径が規定寸法に仕上げられたプラグ１００の中心に一致させて固定し、これらのプラグ１００をスリーブ１２０の両端から挿入し、それらのフェルール１０１同士を突き合わせて光ファイバの軸線を合わせる方式である。
【０００３】従来の光ファイバコネクタ用フェルールの代表的な形状としては、例えば特公平１−４５０４２号に記載されているようなものが知られている。これは、図１５に示すように、光ファイバ（もしくは光ファイバ素線）を挿入するための充分に長い小径の貫通孔１０２が中心軸線に沿って形成されたフェルール１０１と、該フェルール１０１の一端部に固着された中心軸線に沿って光ファイバ心線（光ファイバの外周に外被が被着されたもの）挿通用の大径の貫通孔１０５が形成されたフランジ１０４とからなる。フェルール１０１のテーパ孔部１０３が形成された端部を、フランジ１０４の前端穴部１０６に締り嵌め又は接着等により固着することにより組み立てられ、フェルール１０１の小径の貫通孔１０２とフランジ１０４の大径の貫通孔１０５はテーパ孔部１０３を介して接続される。
【０００４】このようなフェルール１０１に光ファイバを取り付ける場合、図１６に示すように、光ファイバ心線１０７の先端部の外被１０９を剥がして所定の長さだけ光ファイバ１０８を露出させ、露出した光ファイバ及び光ファイバ心線先端部に接着剤を塗布した後、図１５に示すようなフェルール１０１の小径の貫通孔１０２に、露出した光ファイバ１０８をフランジ側から挿入し、光ファイバ１０８及び光ファイバ心線１０７の先端部を接着剤によりフェルール１０１の貫通孔１０２及びフランジ１０４の貫通孔１０５内に固着させることにより行われる。」
　
イ　図１５は次のものである。
　
ウ　図１６は次のものである。
　
（２）引用刊行物２
　
　同じく特開平５−２７１４２号公報（以下「引用刊行物２」という。）には、以下の事項が記載されている（下線は、当審で付した。）。
　
ア　「【００１０】
図１に示されるように、光ファイバ14の一端部が図１で右側から金属管11に挿入され、光ファイバ14のクラッド14ｂの露出した素線部がキャピラリ13の中心孔13ｈに挿入され、金属管11及びキャピラリ13に充填した接着剤17により光ファイバ14をフェルール10に対して固定する。
　
イ　「【００１６】図３は本発明の第２実施例を示す図である。図１の実施例と同様に、この実施例のフェルール10は、穴11ｈを有する金属11と、金属管11の穴11ｈの一端部に嵌合されるキャピラリ13とからなり、キャピラリ13は中心孔13ｈを有する。図１の実施例においては金属管11の穴11ｈが金属管11の両端部の間で完全に一定の断面をもつものであったが、図３の実施例においては金属管11の穴11ｈがキャピラリ13の取りつけ側の端部から実質的に他端部まで一定の断面をもつものである。すなわち、
金属管11の光ファイバ14の挿入側の端部には段部20が設けられ、接着剤17による光ファイバ14の固定を改善するようになっている。
　
ウ　図１は次のものである。
　
エ　図３は次のものである。
　
３　引用発明
　
　上記２（１）によれば、引用刊行物１には、次の発明（以下「引用発明」という。）が記載されていると認められる。 
「光ファイバを挿入するための充分に長い小径の貫通孔１０２が中心軸線に沿って形成されたフェルール１０１と、該フェルール１０１の一端部に固着された中心軸線に沿って光ファイバ心線挿通用の大径の貫通孔１０５が形成されたフランジ１０４とからなる光ファイバコネクタ用フェルールであって、
　フェルール１０１のテーパ孔部１０３が形成された端部は、フランジ１０４の前端穴部１０６に締り嵌め又は接着等により固着することにより組み立てられ、フェルール１０１の小径の貫通孔１０２とフランジ１０４の大径の貫通孔１０５はテーパ孔部１０３を介して接続され、
　光ファイバ心線１０７の先端部の外被１０９を剥がして所定の長さだけ光ファイバ１０８を露出させ、露出した光ファイバ及び光ファイバ心線先端部に接着剤を塗布した後、フェルール１０１の小径の貫通孔１０２に、露出した光ファイバ１０８をフランジ側から挿入し、光ファイバ１０８及び光ファイバ心線１０７の先端部を接着剤によりフェルール１０１の貫通孔１０２及びフランジ１０４の貫通孔１０５内に固着させることによりフェルール１０１に光ファイバを取り付けた光ファイバコネクタ用フェルール。」
　
４　対比 
　
　本願発明と引用発明とを対比する。 
　
（１）引用発明の「フェルール１０１」及び「光ファイバ心線１０７」は、それぞれ、本願発明の「フェルール」及び「光ファイバー」に相当する。
　
（２）引用発明の「フランジ１０４」は、貫通孔１０５及び前端穴部１０６が形成されたものであるから、管状のものといえ、また、フェルール１０１の端部を締り嵌め又は接着等により固着するものであるから、本願発明の「管状成形物よりなるフェルール保持具」に相当する。
　
（３）引用発明の「フランジ１０４の前端穴部１０６」は、フェルール１０１を締り嵌め又は接着等により固着するものであるから、本願発明の「長手方向の一方にフェルールを保持するフェルール保持部」に相当する。
　
（４）引用発明の「フランジ１０４の貫通孔１０５」は、「光ファイバ心線１０７の先端部」を、接着剤により固着させるものであるから、本願発明の「長手方向の・・・他方に光ファイバーを挿通して接着剤を介して固着する光ファイバー固着部」に相当する。
　
（５）引用発明の「光ファイバコネクタ用フェルール」は、「フェルール１０１に光ファイバを取り付けた」ものであるから、上記（２）も踏まえると、引用発明の「光ファイバコネクタ用フェルール」は、本願発明の「フェルール保持具にフェルール及び光ファイバーを連結したコネクター部分」に相当する。
　
（６）以上によれば、本願発明と引用発明とは、
「長手方向の一方にフェルールを保持するフェルール保持部を、他方に光ファイバーを挿通して接着剤を介して固着する光ファイバー固着部を有する管状成形物よりなるフェルール保持具にフェルール及び光ファイバーを連結したコネクター部分」
である点で一致し、
「本願発明は、
『上記フェルール保持具は、上記光ファイバー固着部の挿通路の挿入口に膨径部を設けてなり、
　上記膨径部は、上記挿通路の直径の上記膨径部の口径に対する比率として１：１．３〜１．８となるとともに、上記膨径部の口径の上記膨径部の長さに対する比率として１：０．８〜１．０となるように設けられ、
　上記光ファイバーは、上記フェルール保持具に接着剤を注入した後に挿通され、
　上記光ファイバーの挿通によって押出された接着剤は、上記膨径部に溜まると共に上記膨径部の口径の外部に盛り上がるように形成され、上記フェルール保持具と光ファイバーとを接着するように構成されている』
との構成を備えるのに対して、引用発明は、そのような構成を備えていない点。」
で相違するものと認められる（以下、単に「相違点」という）。
　
５　判断 
　
　上記相違点について検討する。
　
（１）上記２（２）アによれば、引用刊行物２には、「図１に示されるように、光ファイバ14の一端部が図１で右側から金属管11に挿入され、光ファイバ14のクラッド14ｂの露出した素線部がキャピラリ13の中心孔13ｈに挿入され、金属管11及びキャピラリ13に充填した接着剤17により光ファイバ14をフェルール10に対して固定する」技術が記載されている。
　引用発明においても、上記の引用刊行物２記載の技術を適用して、フランジ１０４の貫通孔１０５及びフェルール１０１の貫通孔１０２に充填した接着剤により、光ファイバ１０８及び光ファイバ心線１０７の先端部をフランジ１０４及びフェルール１０１に対して固定することは、当業者が容易に想到できたことである。
　
（２）また、上記２（２）イによれば、引用刊行物２には、穴11ｈを有する金属11と、金属管11の穴11ｈの一端部に嵌合されるキャピラリ13とからなるフェルール10において、金属管11の光ファイバ14の挿入側の端部に段部20を設けることにより、接着剤17による光ファイバ14の固定を改善する技術が記載されていると認められる。
　そうすると、引用発明においても、上記の引用刊行物２記載の技術を適用して、フランジ１０４の貫通孔１０５の光ファイバ１０８ないし光ファイバ心線１０７の挿入側の端部に段部、すなわち膨径部を設けることは、当業者が容易に想到できたことである。
　そして、膨径部を設けるに際し、膨径部の口径及び長さを具体的にどの程度のものとするかは、当業者が設計上適宜に定めるべき事項であり、本願発明のように、「上記膨径部は、上記挿通路の直径の上記膨径部の口径に対する比率として１：１．３〜１．８となるとともに、上記膨径部の口径の上記膨径部の長さに対する比率として１：０．８〜１．０となるように設けられ」るとすることに、格別の困難があるものとも認められない。
　
（３）更に、上記（１）のように、光ファイバ１０８及び光ファイバ心線１０７の先端部が、接着剤を充填したフランジ１０４の貫通孔１０５及びフェルール１０１の貫通孔１０２に挿入される際には、充填された接着剤が押し出されて盛り上がることも十分想定し得るものというべきであり、引用刊行物２の図３にも、接着剤17が、段部20に溜まると共に段部20の口径の外部に盛り上がるように形成されている様子が示されるところである。
　したがって、膨径部の口径の外部に、接着剤が盛り上がるように形成することも、当業者が適宜なし得る程度のことである。
　
（４）請求人は、請求の理由において、
「本願発明のコネクター部分は、挿通路の直径の膨径部の口径に対する比率を１：１．３〜１．８とし、膨径部の口径の膨径部の長さに対する比率を１：０．８〜１．０とするように膨径部を構成するという技術的思想を有するものであり、これにより、フェルール保持具を大型化せずにフェルール保持具全体の強度を維持しつつ光ファイバーの接着強度を向上させ、さらに光ファイバーの撓みや歪みの発生を防止しながら、該光ファイバーをフェルール保持具に強固に接着させるという、引用文献２記載のフェルールからは到底得ることのできない特有の効果を奏するものである。」
と主張するが、本願発明において、挿通路の直径の膨径部の口径に対する比率を１：１．３〜１．８とし、膨径部の口径の膨径部の長さに対する比率を１：０．８〜１．０とするように膨径部を構成することにより、設計的事項の域を超える種の格別顕著な効果が奏されるものとは認められない。
　
（５）小括
　したがって、本願発明は、引用発明及び引用刊行物２に記載された技術に基づいて当業者が容易に発明をすることができたものである。
　
６　むすび
　
　以上のとおり、本願発明は、引用発明及び引用刊行物２に記載された技術に基づいて当業者が容易に発明をすることができたものであるから、特許法第２９条第２項の規定により特許を受けることができない。
　
　よって、結論のとおり審決する。